(57)【特許請求の範囲】
【請求項１】
感光体上に形成されたトナー像を用紙に転写させる転写器と、該転写器に対し用紙搬送方向上流側に設けられた第１の搬送ローラ対と、前記転写器に対し用紙搬送方向下流側に設けられた用紙搬送トラクタと、該トラクタに対し用紙搬送方向下流側に設けられた第２の搬送ローラ対と、前記転写器、前記第１の搬送ローラ対を構成するローラの内の少なくとも１つのローラおよび前記トラクタを保持し、印刷位置と用紙装填位置との間で回動可能に支持されたヨーク部材とを有し、前記第１の搬送ローラ対、用紙搬送トラクタおよび第２の搬送ローラ対で長尺に連続した用紙を搬送させながら、該用紙にトナー像を記録する電子写真装置の用紙搬送制御方法において、
前記第１の搬送ローラ対を逆転させる手段と、前記ヨーク部材が前記印刷位置にあることを検出する第１の検出手段と、前記ヨーク部材が前記用紙装填位置にあることを検出する第２の検出手段とを有し、前記第２の検出手段から前記第１の検出手段に向けてヨーク部材を回動させる期間において、前記第１の搬送ローラ対を逆転させ、前記第２の搬送ローラ対を正転させることを特徴とする電子写真装置の用紙搬送制御方法。
【発明の詳細な説明】
【０００１】
【発明の属する技術分野】
本発明は、電子写真装置の用紙搬送制御方法に関する。
【０００２】
【従来の技術】
長尺に連続した用紙（以下、「連続紙」と称する。）にトナー像を記録する電子写真装置においては、連続紙を装填する際などに、用紙搬送手段（ヨーク部材）を、装填作業のしやすい位置に移動させる構成が設けられている（例えば、実公平２−３３２５８号公報を例示することができる）。
【０００３】
【発明が解決しようとする課題】
ところで、前記ヨーク部材の移動は、必ずしも用紙装填作業時のみに限らず、印刷品質状態を確認したり、印刷内容を確認したりする目的で、印刷した用紙を前記ヨーク部材に装着したまま該ヨーク部材の移動（開閉）を行う場合がある。
【０００４】
しかし、従来技術においては、一度開けたヨーク部材を閉めた際に、開閉に要したストローク分だけ用紙にたるみが発生してしまうという欠点があった。
【０００５】
即ち、前記用紙たるみが発生した場合、用紙が感光体と接触し、感光体表面に付着したトナーと用紙との擦れ合い、あるいは用紙上に転写された未定着トナーと感光体との擦れ合いにより用紙の汚損を招いてしまう。また、用紙がたるんだままの状態でヨーク部材を閉めてしまうと、印刷再開時に用紙搬送不良（用紙ジャム）を招きやすいことから、従来技術においては、実質上、用紙装填時および用紙ジャム状態の解消作業時以外は、ヨーク部材を開けることができなかった。
【０００６】
本発明の目的は、ヨーク部材の開閉操作に伴う用紙汚れ、用紙たるみ等の不具合を解消し、操作性のよい用紙搬送制御方法を提供することにある。
【０００７】
【課題を解決するための手段】
上記目的は、感光体上に形成されたトナー像を用紙に転写させる転写器と、該転写器に対し用紙搬送方向上流側に設けられた第１の搬送ローラ対と、前記転写器に対し用紙搬送方向下流側に設けられた用紙搬送トラクタと、該トラクタに対し用紙搬送方向下流側に設けられた第２の搬送ローラ対と、前記転写器、前記第１の搬送ローラ対を構成するローラの内の少なくとも１つのローラおよび前記トラクタを保持し、印刷位置と用紙装填位置との間で回動可能に支持されたヨーク部材材とを有し、前記第１の搬送ローラ対、用紙搬送トラクタおよび第２の搬送ローラ対で長尺に連続した用紙を搬送させながら、該用紙にトナー像を記録する電子写真装置の用紙搬送制御方法において、前記第１の搬送ローラ対を逆転させる手段と、前記ヨーク部材材が前記印刷位置にあることを検出する第１の検出手段と、前記ヨーク部材材が前記用紙装填位置にあることを検出する第２の検出手段とを有し、前記第２の検出手段から前記第１の検出手段に向けてヨーク部材材を回動させる期間において、前記第１の搬送ローラ対を逆転させ、前記第２の搬送ローラ対を正転させることにより達成される。
【０００８】
【発明の実施の形態】
以下、本発明の実施例を図面を参照しながら説明する。
【０００９】
図３において、符号１は電子写真プロセスによってトナー像を作成する感光ドラムであって、矢印ａの方向に一定の速度で回転するように支軸によって支持される。帯電器２は感光ドラム１の表面に対向するように配置され、この帯電器２と対向するように通過する感光ドラム１の表面を均一に帯電する。均一に帯電した感光ドラム１の表面を露光するレーザ光３は、情報処理装置から供給される印刷情報信号に従って変調されて感光ドラム１の表面に静電潜像を形成する。現像装置４は、静電潜像が形成された感光ドラム１の表面と対向するように配置される。この現像装置４は、微粉トナーを前記静電潜像の静電力で感光ドラム１の表面に付着させてトナー像を形成する現像機能を有する。
【００１０】
用紙ホッパ７は、前記トナー像を転写および定着して画像印刷を行うための連続した帯状の記録材（印刷用紙）６を折りたたんだ状態で収容する。印刷用紙搬送手段の一部を構成する第１の搬送ローラ８ａ，８ｂは、印刷用紙６をホッパ７から取り込んで感光ドラム１に向けて送り出す。
【００１１】
搬送ローラ８ａ，８ｂから送り出された印刷用紙６は、その表面にトナー像を転写するように感光ドラム１の表面と接触する。転写器５は、感光ドラム１の表面に接触した印刷用紙６の背面にトナー像とは反対極性の電荷を与え、感光ドラム１の表面に形成されているトナー像が印刷用紙６の表面に移動（転写）するための静電力を発生させる。
【００１２】
用紙搬送手段の他の一部を構成する用紙搬送トラクタ９は、トナー像が転写された印刷用紙６を定着ロール１０に送り込む。
【００１３】
加熱ローラ１０ａと、加熱ローラ１０ａに圧接した加圧ローラ１０ｂからなる一対の定着ローラ１０は、印刷用紙６を加熱および加圧してトナー像を印刷用紙６の表面に定着する。
【００１４】
用紙搬送手段のさらに他の一部を構成する第２の搬送ローラ（プラーローラ）１１ａ，１１ｂは、定着ローラ１０から送り出された印刷用紙６を引き込んでスタッカ１２内に折りたたんで収容する。
【００１５】
上記構成の電子写真装置において、本発明の特徴となるヨーク部材の構成を図１を用いて詳細に説明する。
【００１６】
感光体１上に形成されたトナー像を印刷用紙に転写させる転写器５と、第１の搬送ローラ対を構成するローラの内の１つのローラ８ｂと、用紙搬送トラクタ９は、ヨーク部材１３に保持されており、ヨーク部材１３は、軸１４を支点に回動可能に支持されている。ヨーク部材１３には、被検出部１３ａ，１３ｂが設けられており、被検出部１３ａおよびこれと対向可能な配置された検出器（クローズセンサ）１５により第１の検出手段が、また、被検出部１３ｂおよびこれと対向可能な配置された検出器（オープンセンサ）１６により第２の検出手段が構成されている。
【００１７】
従って、ヨーク部材１３の被検出部１３ａがクローズセンサ１５によって検出されている場合は、ヨーク部材１３が印刷位置にあることを認識し、ヨーク部材１３の被検出部１３ｂがオープンセンサ１６によって検出されている場合は、ヨーク部材１３が用紙装填位置にあることを認識する。
【００１８】
なお、第１の搬送ローラ対８ａ，８ｂは、用紙搬送トラクタ９、定着ローラ１０およびプラーローラ１１ａ，１１ｂの搬送方向に対し逆の搬送方向を有するように設けられており、これにより印刷用紙６に所定の張力を付与し、転写不良の防止が図られている。
【００１９】
以上の構成において、通常の印刷を行う場合は、ヨーク部材１３を図１の実線で示す位置にセットし、上述したプロセスに沿って印刷が行われる。これに対し、用紙装填作業を行う場合あるいは印刷品質状態や印刷内容の確認を行う場合は、ヨーク部材１３を図１の破線で示す位置まで開けて、目的の作業を行う。なお、ヨーク部材１３の開放は、図１の破線で示すように加熱ローラ１０ａと加圧ローラ１０ｂの圧接状態を解除した上で行われる。また、必要に応じては、加熱ローラ１０ａと加圧ローラ１０ｂの圧接状態の解除に加え、プラーローラ１１ａ，１１ｂの圧接状態を解除させてもよい。
【００２０】
本実施例においては、加熱ローラ１０ａと加圧ローラ１０ｂを圧接／解除可能に設け、プラーローラ１１ａ，１１ｂについては常時圧接状態となるように設け、ヨーク部材１３の開放時には、用紙搬送トラクタ９によって引き戻される印刷用紙６との摩擦によりプラーローラ１１ａ，１１ｂが連れ回りするように構成されている。
【００２１】
図２に制御のフローチャートを示す。
【００２２】
印刷待機中にヨーク部材１３が開かれ、クローズセンサ１５およびオープンセンサ１７がいずれもＯＦＦ状態の場合、即ち、ヨーク部材１３が図１の実線で示す位置から破線で示す位置に向かって回動中の状態にある場合は、プラーローラ１１ａ，１１ｂを、図１矢印方向に回転させるとともに、第１の搬送ローラ８ａ，８ｂを図１矢印で示すように用紙搬送方向と逆の方向となるように回転させる。これによって、ヨーク部材１３の回動に伴い発生する印刷用紙６のたるみを取り除きながら、ヨーク部材１３が開けられて行く。
【００２３】
また、クローズセンサ１５またはオープンセンサ１６のいずれかがＯＮ状態の場合、即ち、ヨーク部材１３が閉じた場合と開ききった場合には、プラーローラ１１ａ，１１ｂおよび第１の搬送ローラ８ａ，８ｂの回転を停止させる。
【００２４】
ヨーク部材１３が実線位置および破線位置以外の位置にある期間は、プラーローラ１１ａ，１１ｂおよび第１の搬送ローラ８ａ，８ｂが回転するので、ヨーク部材１３を開閉する際は、印刷用紙６にテンションが与えられ、ヨーク部材１３の開閉時に発生する用紙汚れ、用紙たるみ等の問題も防ぐことが可能になる。
【００２５】
【発明の効果】
本発明によれば、ヨーク部材の開閉操作に伴う用紙汚れ、用紙たるみ等の不具合を解消し、操作性のよい用紙搬送制御方法を提供することができる。
【図面の簡単な説明】
【図１】本発明の要部を示す概略構成図。
【図２】本発明の制御フローチャート。
【図３】電子写真装置の全体構成図。
【符号の説明】
１…感光体、５…転写器、６…印刷用紙、８ａ，８ｂ…第１の搬送ローラ、９…用紙搬送トラクタ、１０…定着ローラ、１１ａ，１１ｂ…第２の搬送ローラ（プラーローラ）、１３…ヨーク部材、１３ａ，１３ｂ…被検出部、１５…第１の検出手段（クローズセンサ）、１６…第２の検出手段（オープンセンサ）。
【図１】
0003617217.tif 000002
【図２】
0003617217.tif 000003
【図３】
0003617217.tif 000004